(57)【特許請求の範囲】
【請求項１】
鑑別部の紙幣受取口に対して紙幣を引き渡す搬送路の端部に形成された鑑別部接続搬送路であって、
前記搬送路の上下の搬送案内面の端部にそれぞれ形成された櫛歯部と、
該櫛歯部の櫛歯と櫛歯の間隙に嵌入する櫛歯を形成されて前記搬送路の上下の前記搬送案内面の端部にそれぞれ連設された搬送路ガイド部と、
該搬送路ガイド部の搬送案内面を、前記搬送路の搬送案内面の延長線と一致する第１の位置と、前記搬送路の前記搬送案内面の延長線よりも内側に位置する第２の位置とに回動させる回動部と、
を備え、
前記鑑別部は、該鑑別部内部に搬送案内面が平行する紙幣受取搬送路を有し、前記紙幣受取口は前記紙幣受取搬送路の紙幣受取側端部において内から外へ末広がり状に形成され、
前記搬送路ガイド部は、前記回動により前記搬送路ガイド部の前記搬送案内面が前記第１の位置に回動したとき、該搬送案内面の先端を前記鑑別部の前記搬送案内面が平行する前記紙幣受取搬送路と前記内から外へ末広がり状に形成された前記紙幣受取口との境界部に当接させる、
ことを特徴とする鑑別部接続搬送路。
【請求項２】
前記搬送路ガイド部は、前記回動により前記搬送路ガイド部の前記搬送案内面が前記第２の位置に回動したとき、該搬送案内面の反対側面と、末広がり状に形成された前記紙幣受取口の内面との間に、前記鑑別部が前記搬送路ガイド部に案内されて搬送される紙幣の搬送方向に直交する方向にスライド可能な非接触の間隙を形成する、
ことを特徴とする請求項１記載の鑑別部接続搬送路。
【発明の詳細な説明】
【技術分野】
【０００１】
本発明は、鑑別部接続搬送路に係わり、更に詳しくは紙葉類取扱装置の着脱自在な鑑別部における搬送路の紙幣引き渡し部から鑑別部の紙幣受け取り部に紙幣の受け渡しを円滑に行う鑑別部接続搬送路に関する。
【背景技術】
【０００２】
従来、紙葉類取扱装置、例えば紙幣が入出金される紙幣入出金装置に関連する技術としては、例えば、特許文献１に記載のものがある。特許文献１記載の紙幣入出金装置は、紙幣の正常・異常を鑑別する紙幣鑑別部を備えている。【０００３】
また、一旦返却されたリジェクト紙幣を入金可能か否か更に鑑別部で鑑別して、入金可能なら一時貯留部に搬送する技術が、例えば、特許文献２に記載されている。【０００４】
いずれにしても、紙幣等の紙葉類取扱装置には、必ず鑑別部が設けられている。鑑別部は紙葉類取扱装置内では比較的ブラックボックスに相当するユニットであるが、一般的には、画像認識のためのＣＣＤ、磁気入り紙幣を鑑別するための磁気検知器、透かし模様を鑑別するための光学センサ等のモジュールが内蔵されている。【０００５】
ところで、そのようなモジュールは、検知部が紙粉その他の塵等で汚れやすく、汚れると検知機能が低下するので、しばしば保守作業によって清掃する必要がある。その保守作業のために、鑑別部は紙幣搬送路内から外部に取り出し可能なユニットとして構成されているのが一般的である。【０００６】
その場合、鑑別部は、保守作業の容易性の観点から搬送路と直交する方向、つまり横方向に、スライドさせて取外す(又は取付ける)ことが出来る構造とすることが多い。しかし、スライドできる構造にするためには、鑑別部と搬送路間の紙幣の受け渡し部分に非接触の間隙部分を設ける必要がある。【０００７】
図４は、鑑別部と搬送路間の紙幣の受け渡し部分に非接触の間隙部分を設けた構成と、その場合に発生する可能性の高い不具合を示す図である。同図には、鑑別部１、鑑別部１の紙幣受入れ口２、搬送路３、搬送ローラ対４、紙幣５を示している。【０００８】
搬送路３は、例えば２枚の案内板であり、鑑別部１の紙幣受入れ口２に対向する案内板の紙幣渡し口は、鑑別部１の紙幣受入れ口２との間に、非接触の間隙部分６を形成している。【０００９】
ここで、紙幣５が、財布の中に保管されていた新札や新札に近い、つまり皺や折り癖の無い、強い腰の真っ直ぐな紙幣であれば問題はない。しかし、所によっては、人が例えば服やズボンのポケット等に紙幣を裸のまま無造作に入れて持ち歩く習慣のあるところもある。【００１０】
このような紙幣には皺や折り癖がつきやすい。皺や折り癖の付いた紙幣が、銀行へ預金のためにＡＴＭ(automated telling machine)に挿入されて、図４のように鑑別部１に送り込まれると、皺や折り癖で腰が弱くなった紙幣５の先端が、非接触の間隙部分６で垂れ下がり、鑑別部１の紙幣受入れ口２で衝突状態７という不具合を引き起こしてジャムの要因となる。
【先行技術文献】
【特許文献】
【００１１】
【特許文献１】特開２００９−００９１９９号公報
【特許文献２】特開２０１１−０８６２１１号公報
【発明の概要】
【発明が解決しようとする課題】
【００１２】
ところが、特許文献１又は２には、鑑別部の重要な機能についての説明はあるものの、鑑別部に対する保守作業や、保守作業のためのスライド構造、鑑別部と搬送路間の紙幣の受け渡し部分の非接触の間隙部分における紙幣受け渡しの不具合については何ら記載がない。したがって、不具合に対する防止方法や防止機構についても何ら記載がない。【００１３】
本発明は、上記従来の課題を解決するものであって、紙葉類取扱装置において搬送路の紙幣引き渡し部から鑑別部の紙幣受け取り部に紙幣の受け渡しを円滑に行う鑑別部接続搬送路を提供することを目的とする。
【課題を解決するための手段】
【００１４】
上記課題を解決するために、本発明の鑑別部接続搬送路は、鑑別部の紙幣受取口に対して紙幣を引き渡す搬送路の端部に形成された鑑別部接続搬送路であって、上記搬送路の上下の搬送案内面の端部にそれぞれ形成された櫛歯部と、該櫛歯部の櫛歯と櫛歯の間隙に嵌入する櫛歯を形成されて上記搬送路の上下の上記搬送案内面の端部にそれぞれ連設された搬送路ガイド部と、該搬送路ガイド部の搬送案内面を、上記搬送路の搬送案内面の延長線と一致する第１の位置と、上記搬送路の上記搬送案内面の延長線よりも内側に位置する第２の位置とに回動させる回動部と、を備えて構成される。【００１５】
この鑑別部接続搬送路において、例えば、上記鑑別部は、上記鑑別部内部に搬送案内面が平行する紙幣受取搬送路を有し、上記紙幣受取口は上記紙幣受取搬送路の紙幣受取側端部において内から外へ末広がり状に形成され、上記搬送路ガイド部は、上記回動により上記搬送路ガイド部の上記搬送案内面が上記第１の位置に回動したとき、該搬送案内面の先端を上記鑑別部の上記搬送案内面が平行する上記紙幣受取搬送路と上記内から外へ末広がり状に形成された上記紙幣受取口との境界部に当接させる、ように構成される。【００１６】
更に、上記搬送路ガイド部は、例えば、上記回動により上記搬送路ガイド部の上記搬送案内面が上記第２の位置に回動したとき、該搬送案内面の反対側面と、末広がり状に形成された上記紙幣受取口の内面との間に、上記鑑別部が上記搬送路ガイド部に案内されて搬送される紙幣の搬送方向に直交する方向にスライド可能な非接触の間隙を形成する、ように構成される。
【発明の効果】
【００１７】
本発明は、紙葉類取扱装置において搬送路の紙幣引き渡し部から鑑別部の紙幣受け取り部に紙幣の受け渡しを円滑に行うことができ、且つ鑑別部を例えば保守等のために外部の搬送路との干渉を起こすことなく紙幣搬送方向に直交する方向に容易にスライドさせて抜脱または挿入させることができる鑑別部接続搬送路を提供することが可能となる。
【図面の簡単な説明】
【００１８】
【図１】(a)は実施例１に係る鑑別部接続搬送路を備えたＡＴＭ(automated telling machine) の断面をＡＴＭ設置装置とＡＴＭを利用する顧客と共に示す図、(b)はＡＴＭの拡大断面図である。
【図２】(a)は実施例１に係る鑑別部接続搬送路の上面図、(b)はそのＡ−Ａ´側断矢視面、共に搬送路ガイド部が第１の位置に回動した状態を示す図である。
【図３】実施例１に係る鑑別部接続搬送路の搬送路ガイド部が第２の位置に回動した状態を示す図である。
【図４】従来の鑑別部と搬送路間の紙幣の受け渡し部分に非接触の間隙部分を設けた構成とその場合に発生する可能性の高い不具合を示す図である。
【発明を実施するための形態】
【００１９】
以下、本発明の実施の形態について、図面を参照しながら詳細に説明する。
【実施例１】
【００２０】
図１(a)は、実施例１に係る鑑別部接続搬送路を備えたＡＴＭ(automated telling machine) の断面をＡＴＭ設置装置とＡＴＭを利用する顧客と共に示す図であり、図１(b)はＡＴＭの拡大断面図である。【００２１】
図１(a)に示すように、ＡＴＭ１０は、頑丈な防護壁１１を有するＡＴＭ設置装置１２の内部に格納されている。ＡＴＭ設置装置１２の前部外壁にはシャッタ（不図示）を備えた入出金口孔１３が形成されている。この入出金口孔１３に、ＡＴＭ１０のスロット型紙葉類取扱装置１４の入出金口１５が配置されている。【００２２】
尚、図１(a)は、ＡＴＭ１０を利用する顧客１６が入出金口１５に紙幣を挿入した直後の状態を示している。ＡＴＭ１０は、図１(b)に示すように、上部モジュール１７と下部モジュール１８とで構成される。上部モジュール１７の前方に上述したスロット型紙葉類取扱装置１４が配置されている。【００２３】
スロット型紙葉類取扱装置１４の後方下部に鑑別部２０が配置されている。また、上部モジュール１７の最後部上方に正常券を受け付ける正常券一時保留部１９と、その下部に受付不可券（例えば偽造券など）を一次保留する不可券一時保留部２１が配置されている。【００２４】
また、下部モジュール１８は、ほぼ全体を占めるように、大型集積収容器としての４個のリサイクルカセット２２を備えている。そして後端部の狭い空間に、リサイクルしない紙幣やリサイクルに不適切な紙幣（汚れや破損があるもの）などを収容する３個のリジェクトボックス２３を備えている。【００２５】
尚、図１(b)に示す大小の丸は、紙幣を案内するローラ、これらローラに搬送ベルトを介して圧接する単体ローラ、または相互に圧接して紙幣を搬送するローラ対のローラを示している。また、それらのローラ間に示す太い実線又は破線で示す矢印は、紙幣搬送ベルト又は紙幣搬送経路を示している。【００２６】
また、図１(b)には、搬送経路の分岐部に設けられている切替ゲート等は図示を省略している。上記入出金口１５から挿入された紙幣（又は紙幣束）は、スロット型紙葉類取扱装置１４の搬送台２４に載置され、紙葉類繰出部２５に搬送される。【００２７】
紙葉類繰出部２５において、搬送経路ａに一枚ごと繰り出された紙幣は、鑑別部２０を通過する。鑑別部２０を通過した紙幣は、鑑別結果に基づいて、正常券であれば搬送経路ｂ、ｃと搬送されて正常券一時保留部１９に収容される。【００２８】
また、鑑別結果が受付不可券（偽券など）と鑑別された紙幣は、鑑別部２０を通過したあと搬送経路ｄに搬送されて不可券一時保留部２１に収容される。また、斜行や折れなどより鑑別部において鑑別不可と判断された紙幣は、搬送路ｂ、ｅに搬送され、紙幣繰出部２５に待機している搬送台２４に収容される。【００２９】
そして、入出金口１５から挿入された紙幣の鑑別が全て終了したとき、搬送台２４に収容された紙幣は、入出金口１５に返送され、鑑別不可と判断された紙幣は顧客１６に返却される。その後、ＡＴＭ１０の顧客操作側に設置された表示部（不図示）に受け付けた紙幣に関する情報を表示し、顧客１６が入力パネル（不図示）へ入力するのを待つ。顧客１６が正常券一時保留部１９にある正常券のみ預金するよう不図示の入力パネルから指示したときは、正常券一時保留部１９から正常券が繰り出され、搬送経路ｃ、ｆを通って再び鑑別部２０を通過する。【００３０】
その鑑別で、例えば、千円又は１万円の様なリサイクル率が高い紙幣と鑑別された紙幣は、搬送経路ｇ、ｈを経由して、所定のリサイクルカセット２２に収容される。また、リサイクル率の低い（例えば、二千円、五千円）金種と鑑別された紙幣や、及び後刻銀行側で交換が必要な汚れ等の不良紙幣と鑑別された紙幣は、搬送経路ｇ、ｉを経由して、所定のリジェクトボックス２３に収容される。【００３１】
なお、本願発明は鑑別部２０の鑑別部接続搬送路に関するものであり、他のハード上の構成要件は関係しないので、ＡＴＭ１０本体の詳細構成についての説明は以上をもって他は省略する。【００３２】
図２(a)は、上記鑑別部２０の鑑別部接続搬送路の上面図であり、図２(b)はそのＡ−Ａ´側断矢視面である。図２(a),(b)に示すように、本例の鑑別部接続搬送路２６は、鑑別部２０の紙幣受取口２７に対して紙幣２８を引き渡す搬送路２９（２９ａ、２９ｂ）の端部に形成されている。尚、搬送路２９は、図１(b)に示した搬送経路ａと搬送経路ｆの合流点から鑑別部２０に至る搬送路である。【００３３】
搬送路２９の上下の搬送案内面３１（３１ａ、３１ｂ）には、搬送ローラ対３２よりも搬送方向下流側となる端部に、それぞれ櫛歯部３３が形成されている。そして、搬送路２９の上下の搬送案内面３１の櫛歯部３３が形成されている端部には搬送路ガイド部３４が連設されている。【００３４】
搬送路ガイド部３４には、搬送路２９の櫛歯部３３の櫛歯と櫛歯の間隙に嵌入する櫛歯３５が形成されている。この搬送路ガイド部３４は、回動支持軸３６により回動可能に支持されている。【００３５】
回動支持軸３６は、搬送路ガイド部３４の搬送案内面４３を、搬送路２９の搬送案内面３１の延長線と一致する第１の位置と、搬送路２９の搬送案内面３１の延長線よりも内側に位置する第２の位置とに回動させる。【００３６】
図２(b)には搬送路ガイド部３４の搬送案内面４３が第１の位置に回動した状態を示している。この状態で、搬送路２９の櫛歯部３３の櫛歯と櫛歯の間隙に、搬送路ガイド部３４の櫛歯３５の櫛歯と櫛歯が嵌入し、搬送路２９と搬送路ガイド部３４が櫛歯の長さＡだけオーバーラップして、搬送方向に間断の無い連続面を形成する。【００３７】
また、鑑別部２０は、内部に紙幣受取搬送路３７（３７ａ、３７ｂ）を備えている。これら紙幣受取搬送路３７ａ及び３７ｂの搬送案内面３８（３８ａ、３８ｂ）は平行して形成されている。【００３８】
鑑別部２０のこの紙幣受取搬送路３７に続く紙幣受取口２７は、紙幣受取搬送路３７の紙幣受取側端部において内から外へ末広がり状に形成されている。【００３９】
上記の搬送路ガイド部３４は、回動により搬送路ガイド部３４の搬送案内面４３が図２(b)に示す第１の位置に回動したとき、その搬送案内面４３の先端を鑑別部２０の搬送案内面３８が平行する紙幣受取搬送路３７と、内から外へ末広がり状に形成された紙幣受取口２７との境界部に当接させる。【００４０】
これにより、搬送路２９から鑑別部２０の紙幣受取搬送路３７まで、段差部も間隙部もない一直線に連続した受渡搬送路が形成される。図２(a)において、紙幣２８は、段差部や間隙部等の障害がない一直線に連続した受渡搬送路を、矢印ｊで示す搬送方向に、ジャム等の不具合を発生させることなく搬送される。【００４１】
この搬送では、上部モジュール１７の不図示のフレームに配設されている駆動連結ギア３９が搬送ローラ対３２の上部ローラの軸４１のギア４２に係合して、上部ローラを図２(b)に矢印ｋで示す時計回り方向に駆動し、これに搬送ローラ対３２の下部ローラが矢印ｍで示すように従動して回転し、紙幣２８を搬送する。【００４２】
図３は、駆動連結ギア３９が退避動作（ｒ方向に移動）を行い、搬送路ガイド部３４が第２の位置に回動した状態を示している。この回動により、図３に示すように、搬送路ガイド部３４の搬送案内面４３が搬送路２９（２９ａ、２９ｂ）の搬送案内面３１（３１ａ、３１ｂ）の延長線よりも内側に位置するように移動（ｐ及びｑの方向に移動）している。【００４３】
これにより、搬送路ガイド部３４の搬送案内面４３の反対側面と、鑑別部２０の末広がり状に形成された紙幣受取口２７の内面との間に、非接触の間隙４４が形成される。【００４４】
この非接触の間隙４４が形成されることにより、鑑別部２０を、搬送路ガイド部３４に案内されて搬送される紙幣２８（図２(b)参照）の搬送方向（図２(b)の矢印ｊ参照）に直交する方向（回動軸３６の軸方向）にスライドさせて容易に着脱することができる。
【産業上の利用可能性】
【００４５】
本発明は、紙葉類取扱装置において搬送路の紙幣引き渡し部から鑑別部の紙幣受け取り部に紙幣の受け渡しを円滑に行う鑑別部接続搬送路に利用することができる。
【符号の説明】
【００４６】
１  鑑別部
２  紙幣受入れ口
３  搬送路
４  搬送ローラ対
５  紙幣
６  非接触の間隙部分
７  衝突状態
１０  ＡＴＭ(automated telling machine)
１１  防護壁
１２  ＡＴＭ設置装置
１３  入出金口孔
１４  スロット型紙葉類取扱装置（装置本体）
１５  入出金口
１６  顧客
１７  上部モジュール
１８  下部モジュール
１９  正常券一時保留部
２０  鑑別部
２１  不可券一時保留部
２２  リサイクルカセット
２３  リジェクトボックス
２４  搬送台
２５  紙葉類繰出部
２６  鑑別部紙幣受渡機構
２７  紙幣受取口
２８  紙幣
２９（２９ａ、２９ｂ）  搬送路
３１（３１ａ、３１ｂ）  搬送案内面
３２  搬送ローラ対
３３  櫛歯部
３４  搬送路ガイド部
３５  櫛歯
３６  回動支持軸
３７（３７ａ、３７ｂ）  紙幣受取搬送路
３８（３８ａ、３８ｂ）  搬送案内面
３９  駆動連結ギア
４１  軸
４２  ギア
４３  搬送案内面
４４  非接触の間隙
【図１】
0005632091.tif 000002
【図２】
0005632091.tif 000003
【図３】
0005632091.tif 000004
【図４】
0005632091.tif 000005